【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
ハイブリッド自動再送要求プロトコルおよび受信されるデータのソフトコンバインを用いて、少なくとも１つのデータチャネルを介して送信エンティティから受信エンティティに送信される再送データパケットにおける情報量を制御する方法であって、
前記送信エンティティから前記受信エンティティにデータパケットを送信するステップと、
前記送信エンティティにおいて、前記受信エンティティからの、前記データパケットが前記受信エンティティで正常に受信されたか否かを示すフィードバックメッセージを受信するステップと、
前記フィードバックメッセージが前記データパケットが正常に受信されなかったことを示す場合、前記送信エンティティにおいて、前記正常に受信されなかったデータパケットに対する前記再送データパケットにおいて送られるべき情報量を制限する制御メッセージを受信するステップと、
前記制御メッセージに示される情報量を有する再送データパケットを、前記送信エンティティから前記受信エンティティに送信するステップと、
を備えることを特徴とする方法。
【請求項２】
前記制御メッセージは、前記再送データパケットにおける最大情報量および最小情報量、または最大情報量を示す、
ことを特徴とする請求項１記載の方法。
【請求項３】
前記示される情報量の送信は、前記データパケットに使用される送信電力と比べて減少される送信電力を必要とする、
ことを特徴とする請求項１または請求項２記載の方法。
【請求項４】
前記制御メッセージは、前記受信エンティティから前記送信エンティティへの前記フィードバックメッセージと並行して、または遅延して送信される、
ことを特徴とする請求項１乃至請求項３のいずれかに記載の方法。
【請求項５】
前記フィードバックメッセージは、確認応答チャネルを介して送信され、
前記制御メッセージは、スケジューリングに関連する制御チャネルを介して送信される、
ことを特徴とする請求項１乃至請求項４のいずれかに記載の方法。
【請求項６】
前記再送データパケットは、前記フィードバックメッセージを受信してから所定の時間間隔後に、前記送信エンティティによって送信される、
ことを特徴とする請求項１乃至請求項５のいずれかに記載の方法。
【請求項７】
前記制御メッセージは、前記フィードバックメッセージを受信してから所定の時間間隔後に前記再送データパケットを送信しないことを示す、
ことを特徴とする請求項６記載の方法。
【請求項８】
前記制御メッセージは、ＴＦＣ制御メッセージである、
ことを特徴とする請求項１乃至請求項７のいずれかに記載の方法。
【請求項９】
合成データパケットを得るために、前記受信エンティティにおいて、前記再送データパケットと前記送信されるデータパケットとをソフトコンバインするステップを更に備える、
ことを特徴とする請求項１乃至請求項８のいずれかに記載の方法。
【請求項１０】
前記受信エンティティにおいて、前記合成データパケットを復号化するステップを更に備える、
ことを特徴とする請求項９記載の方法。
【請求項１１】
前記送信される制御メッセージは、前記合成データパケットの復号化の成功に必要な前記再送データパケットの情報量を示す、
ことを特徴とする請求項１０記載の方法。
【請求項１２】
前記データパケットまたは前記合成データパケットの受信品質に基づいて、前記受信エンティティにおいて、前記再送データパケットに対する情報量を決定するステップを更に備える、
ことを特徴とする請求項１乃至請求項１１のいずれかに記載の方法。
【請求項１３】
前記送信エンティティから前記受信エンティティに、第１のデータチャネルを介して、前記データパケットを送信するステップを更に備え、
前記再送データパケットは、前記送信エンティティから前記受信エンティティに、第２のデータチャネルを介して送信される、
ことを特徴とする請求項１乃至請求項１２のいずれかに記載の方法。
【請求項１４】
前記第１のデータチャネルの送信時間間隔は、前記第２のデータチャネルの送信時間間隔よりも小さい、
ことを特徴とする請求項１３記載の方法。
【請求項１５】
前記送信されるデータパケットおよび前記再送データパケットは、少なくとも１つの個別トランスポートチャネルを介して送信される、
ことを特徴とする請求項１乃至請求項１４のいずれかに記載の方法。
【請求項１６】
ハイブリッド自動再送要求プロトコルおよび受信されるデータのソフトコンバインを用いて、少なくとも１つのデータチャネルを介した送信エンティティからのデータパケットを受信する受信エンティティであって、
前記送信エンティティからのデータパケットを受信する受信手段と、
前記送信エンティティに、前記データパケットが前記受信エンティティにより正常に受信されたか否かを示すフィードバックメッセージを送信する送信手段と、を備え、
前記送信手段は、前記フィードバックメッセージが前記データパケットが正常に受信されなかったことを示す場合、前記送信エンティティに、前記正常に受信されなかったデータパケットに対する前記再送データパケットにおいて送られるべき情報量を制限する制御メッセージを送信するように適合され、
前記受信手段は、前記制御メッセージに示される情報量を有する再送データパケットを、前記送信エンティティから受信するように適合される、
ことを特徴とする受信エンティティ。
【請求項１７】
請求項１乃至請求項１５のいずれかに記載の方法を実行するように適合される手段を備える、
ことを特徴とする請求項１６記載の受信エンティティ。
【請求項１８】
前記受信エンティティは、基地局である、
ことを特徴とする請求項１６または請求項１７記載の受信エンティティ。
【請求項１９】
ハイブリッド自動再送要求プロトコルおよび受信されるデータのソフトコンバインを用いて、少なくとも１つのデータチャネルを介して、受信エンティティにデータパケットを送信する送信エンティティであって、
前記送信エンティティからデータパケットを送信する送信手段と、
前記受信エンティティからの、前記データパケットが前記受信エンティティで正常に受信されたか否かを示すフィードバックメッセージを受信する受信手段と、を備え、
前記受信手段は、前記フィードバックメッセージが前記データパケットが正常に受信されなかったことを示す場合、前記送信エンティティにおいて、前記正常に受信されなかったデータパケットに対する再送データパケットにおいて送られるべき情報量を制限する制御メッセージを受信するように適合され、
前記送信手段は、前記制御メッセージに示される情報量を有する再送データパケットを、前記受信エンティティに送信するように適合される、
ことを特徴とする送信エンティティ。
【請求項２０】
請求項１乃至請求項１５のいずれかに記載の方法を実行するように適合される手段を備える、
ことを特徴とする請求項１８記載の送信エンティティ。
【請求項２１】
前記送信エンティティは、移動端末である、
ことを特徴とする請求項１８または請求項１９記載の送信エンティティ。
【請求項２２】
請求項１６乃至請求項１８のいずれかに記載の少なくとも１つの受信エンティティと、
請求項１９乃至請求項２１のいずれかに記載の少なくとも１つの送信エンティティと、
を備えることを特徴とする移動体通信システム。
【請求項２３】
プロセッサで実行されると、
送信エンティティからのデータパケットを受信し、
前記データパケットが前記受信エンティティにより正常に受信されたか否かを示すフィードバックメッセージを、前記送信エンティティに送信し、
前記フィードバックメッセージが前記データパケットが正常に受信されなかったことを示す場合、前記正常に受信されなかったデータパケットに対する再送データパケットにおいて送られるべき情報量を制御する制御メッセージを、送信エンティティに送信し、
前記制御メッセージに示される情報量を有する再送データパケットを、前記送信エンティティから受信することにより、
ハイブリッド自動再送要求プロトコルおよび受信されるデータのソフトコンバインを用いて、少なくとも１つのデータチャネルを介して送信エンティティから受信エンティティに送信される再送データパケットにおける情報量をプロセッサに制御させる命令を記憶するコンピュータ読取り可能な媒体。
【請求項２４】
プロセッサで実行されると、
送信エンティティからデータパケットを送信し、
前記データパケットが受信エンティティにより正常に受信されたか否かを示すフィードバックメッセージを、前記受信エンティティから受信し、
前記フィードバックメッセージが前記データパケットが正常に受信されなかったことを示す場合、前記正常に受信されなかったデータパケットに対する再送データパケットにおいて送られるべき情報量を制御する前記送信エンティティへの制御メッセージを受信し、
前記制御メッセージに示される情報量を有する再送データパケットを、前記受信エンティティに送信することにより、
ハイブリッド自動再送要求プロトコルおよび受信されるデータのソフトコンバインを用いて、少なくとも１つのデータチャネルを介して送信エンティティから受信エンティティに送信される再送データパケットにおける情報量をプロセッサに制御させる命令を記憶するコンピュータ読取り可能な媒体。
【手続補正２】
【補正対象書類名】明細書
【補正対象項目名】０００１
【補正方法】変更
【補正の内容】
【０００１】
本発明は、ハイブリッド自動再送要求プロトコルを用いる少なくとも１つのデータチャネルを介して送信エンティティから受信エンティティに送信される再送データパケットにおける情報量を制御する方法に関する。更に、本発明は、それぞれの方法ステップを実行するように適合される受信エンティティと送信エンティティとを提供する。更に、少なくとも１つの受信エンティティと、少なくとも１つの送信エンティティとを有する通信システムも提供される。更に、本発明は、プロセッサで実行されると、受信されるデータのハイブリッド自動再送要求プロトコルおよびソフトコンバインを用いて少なくとも１つのデータチャネルを介して送信エンティティから受信エンティティに送信される再送データパケットにおける情報量を、プロセッサに制御させる命令を記憶するコンピュータ読取り可能な媒体を提供する。
【手続補正３】
【補正対象書類名】明細書
【補正対象項目名】００４９
【補正方法】変更
【補正の内容】
【００４９】
本実施例では、ノードＢは、ノードＢにおいて受信したパケットを復号化して処理するために必要な時間を示すＴＮＢｐｒｏｃｅｓｓ後に、ＡＣＫをユーザ機器に送る。ダウンリンク上のフィードバックに基づいて、ユーザ機器は、データパケットを再送するか、新しいデータパケットを送信するかを決定する。確認応答を受信し、同じＨＡＲＱ処理において次の送信時間間隔を送信する間にユーザ機器に利用可能な処理時間は、ＴＵＥｐｒｏｃｅｓｓと称される。
【手続補正４】
【補正対象書類名】明細書
【補正対象項目名】００５２
【補正方法】変更
【補正の内容】
【００５２】
ＵＥは、例えば、再送の場合にデータパケットの正しいソフトコンバインを確実にするために、非同期送信のプロトコルにおいて明示的にＨＡＲＱ処理数をシグナリングしなくてはならない。非同期データ送信によるＨＡＲＱ再送プロトコルの利点は、システムに与えられる柔軟性である。ノードＢのスケジューラは、例えば、セルにおける干渉状況、および対応するＥ−ＤＣＨサービスの優先順位またはＱｏＳパラメータ等のパラメータに基づいて、Ｅ−ＤＣＨにおけるデータの送信に対する期間およびＨＡＲＱ処理をＵＥに割当てる。
【手続補正５】
【補正対象書類名】明細書
【補正対象項目名】００６３
【補正方法】変更
【補正の内容】
【００６３】
より具体的には、前に破壊されたデータパケットからの軟判定は、再送されたデータパケットとソフトコンバインされる。したがって、データパケットの復号に成功に必要な１ビットあたりのエネルギ（ＥｂＮｔ）は、再送について減少される。
【手続補正６】
【補正対象書類名】明細書
【補正対象項目名】００６４
【補正方法】変更
【補正の内容】
【００６４】
しかしながら、従来のＨＡＲＱ方式では、送信エンティティは、再送要求を受信しても、前に正確に受信されていないデータパケットの受信品質を知らないので、ソフトコンバイン後の復号化の成功にどの再送電力レベルが必要かを知ることができない。
【手続補正７】
【補正対象書類名】明細書
【補正対象項目名】００６９
【補正方法】変更
【補正の内容】
【００６９】
本発明の一実施の形態によると、ハイブリッド自動再送要求プロトコルおよび受信されるデータのソフトコンバインを用いて、少なくとも１つのデータチャネルを介して送信エンティティから受信エンティティに送信される再送データパケットにおける情報量を制御する方法が提供される。
【手続補正８】
【補正対象書類名】明細書
【補正対象項目名】００７６
【補正方法】変更
【補正の内容】
【００７６】
更なる実施の形態では、前記フィードバックメッセージは、確認応答チャネルを介して送信され、前記制御メッセージは、スケジューリングに関連する制御チャネルを介して送信される。
【手続補正９】
【補正対象書類名】明細書
【補正対象項目名】００８０
【補正方法】変更
【補正の内容】
【００８０】
本発明の代替的な実施の形態では、合成データパケットを得るために、前記受信エンティティにおいて、前記再送データパケットと前記送信されるデータパケットとをソフトコンバインするステップを更に備える。
【手続補正１０】
【補正対象書類名】明細書
【補正対象項目名】００８７
【補正方法】変更
【補正の内容】
【００８７】
本発明の更なる実施の形態によると、ハイブリッド自動再送要求プロトコルおよび受信されるデータのソフトコンバインを用いて、少なくとも１つのデータチャネルを介した送信エンティティからのデータパケットを受信する受信エンティティが提供される。この受信エンティティは、前記送信エンティティからのデータパケットを受信する受信手段と、前記送信エンティティに、前記データパケットが前記受信エンティティにより正常に受信されたか否かを示すフィードバックメッセージを送信する送信手段とを備える。
【手続補正１１】
【補正対象書類名】明細書
【補正対象項目名】００９１
【補正方法】変更
【補正の内容】
【００９１】
本発明の更なる実施の形態は、ハイブリッド自動再送要求プロトコルおよび受信されるデータのソフトコンバインを用いて、少なくとも１つのデータチャネルを介して、受信エンティティにデータパケットを送信する送信エンティティを提供する。本実施の形態によると、この送信エンティティは、前記送信エンティティからデータパケットを送信する送信手段と、前記受信エンティティからの、前記データパケットが前記受信エンティティで正常に受信されたか否かを示すフィードバックメッセージを受信する受信手段とを備える。
【手続補正１２】
【補正対象書類名】明細書
【補正対象項目名】００９６
【補正方法】変更
【補正の内容】
【００９６】
本発明の別の実施の形態によると、プロセッサで実行されると、送信エンティティからのデータパケットを受信し、前記データパケットが前記受信エンティティによって正常に受信されたか否かを示すフィードバックメッセージを、前記送信エンティティに送信することで、ハイブリッド自動再送要求プロトコルおよび受信されるデータのソフトコンバインを用いて、少なくとも１つのデータチャネルを介して送信エンティティから受信エンティティに送信される再送データパケットにおける情報量をプロセッサに制御させる命令を記憶するコンピュータ読取り可能な媒体に関する。
【手続補正１３】
【補正対象書類名】明細書
【補正対象項目名】００９８
【補正方法】変更
【補正の内容】
【００９８】
本発明の更なる実施の形態は、プロセッサで実行されると、送信エンティティからデータパケットを送信し、前記データパケットが受信エンティティにより正常に受信されたか否かを示すフィードバックメッセージを、前記受信エンティティから受信することで、ハイブリッド自動再送要求プロトコルおよび受信されるデータのソフトコンバインを用いて、少なくとも１つのデータチャネルを介して送信エンティティから受信エンティティに送信される再送データパケットにおける情報量をプロセッサに制御させる命令を記憶するコンピュータ読取り可能な媒体に関する。
【手続補正１４】
【補正対象書類名】明細書
【補正対象項目名】０１０３
【補正方法】変更
【補正の内容】
【０１０３】
以下で明らかとなるように、本発明の様々な態様の１つは、例えば、初回送信を少なくとも１つの再送とソフトコンバインした後に送信されたデータの復号化が可能となるように、再送における情報量を最小レベルに制御することに関する。以下により詳細に説明するように、再送における情報量を制御することは、再送に対して必要な送信電力を減少させ、更には、再送によって生ずるエアインタフェース上での干渉を著しく減少させる。
【手続補正１５】
【補正対象書類名】明細書
【補正対象項目名】０１０７
【補正方法】変更
【補正の内容】
【０１０７】
したがって、例えばチェイス合成のように、データパケットに対する再送がそれに関連するデータパケットの初回送信と同じ送信電力で送信される場合、ソフトコンバイン後の合成ＳＮＲは、必要なＳＮＲを著しく超える場合がある。よって、再送に対する送信電力は、復号化の成功の確率を低下させることなく減少され得る。
【手続補正１６】
【補正対象書類名】明細書
【補正対象項目名】０１１８
【補正方法】変更
【補正の内容】
【０１１８】
再送と前に記憶された送信とのソフトコンバイン後の復号化の成功のために追加的な冗長が少しだけ必要な場合、ノードＢは、ＵＥのＴＦＣＳを制限する。ノードＢは、データパケットの既に受信した送信、すなわち初回送信とデータパケットに対して既に送信された再送の受信品質に基づいて、復号化の成功に対して必要な追加的冗長を推定する。データパケットの既に受信した送信は、例えばソフトコンバインされ、その合成データに基づいて、必要な冗長部分が決定される。
【手続補正１７】
【補正対象書類名】明細書
【補正対象項目名】０１３０
【補正方法】変更
【補正の内容】
【０１３０】
本実施の形態の代替的な変形例では、このメッセージは、スケジューリングに関連する制御チャネルを介して受信され、一方、フィードバックは確認応答チャネルを介して受信される。
【手続補正１８】
【補正対象書類名】明細書
【補正対象項目名】０１３４
【補正方法】変更
【補正の内容】
【０１３４】
更に、ブロック１２０２乃至１２０７を参照して上述した方法と同様に、再送データパケットに対するフィードバックが供給される。ステップ１２０３では、初回送信データパケットは、復号化の前に再送とソフトコンバインされてもよい。
【手続補正１９】
【補正対象書類名】図面
【補正対象項目名】図１１
【補正方法】変更
【補正の内容】
【図１１】
2007531432.tif 000001